(57)【要約】【課題】移動通信における通信ログの解析を効率的に行うための技術を提供する。【解決手段】移動通信における端末側の通信装置とネットワークとの間で送受信される信号の通信ログを解析し、表示するログ表示装置を、前記通信ログを格納するログ格納手段と、前記ログ格納手段から通信ログを読み出し、当該通信ログの内容に基づいて、当該通信ログに対応する前記通信装置の無線通信状態を判定する状態判定手段と、通信ログと、前記状態判定手段により判定された無線通信状態とを対応付けて無線通信状態付ログ格納手段に格納する格納処理手段と、前記無線通信状態付ログ格納手段から通信ログと無線通信状態とを読み出し、無線通信状態毎に予め定められた表示設定情報に従って、通信ログの表示を行う表示手段とを備えて構成する。【選択図】図２
2012151525.tif 000002
【特許請求の範囲】
【請求項１】
移動通信における端末側の通信装置とネットワークとの間で送受信される信号の通信ログを解析し、表示するログ表示装置であって、
前記通信ログを格納するログ格納手段と、
前記ログ格納手段から通信ログを読み出し、当該通信ログの内容に基づいて、当該通信ログに対応する前記通信装置の無線通信状態を判定する状態判定手段と、
通信ログと、前記状態判定手段により判定された無線通信状態とを対応付けて無線通信状態付ログ格納手段に格納する格納処理手段と、
前記無線通信状態付ログ格納手段から通信ログと無線通信状態とを読み出し、無線通信状態毎に予め定められた表示設定情報に従って、通信ログの表示を行う表示手段と
を備えたことを特徴とするログ表示装置。
【請求項２】
前記状態判定手段は、前記通信ログの内容が、予め定められた状態判定ルールに合致するか否かにより、無線通信状態を判定する
ことを特徴とする請求項１に記載のログ表示装置。
【請求項３】
前記状態判定手段は、ある通信ログにおいて、前記状態判定ルールに規定された特定のメッセージの中の特定の情報要素における特定の値を検出した場合に、当該通信ログ以降に取得された各通信ログを、前記特定の値に対応する無線通信状態であると判定する
ことを特徴とする請求項２に記載のログ表示装置。
【請求項４】
前記表示設定情報は、無線通信状態毎に、表示を行わない信号レイヤを示す情報を含み、前記表示手段は、前記無線通信状態付ログ格納手段から読み出した通信ログが、前記表示を行わない信号レイヤに該当することを検知した場合に、当該通信ログの表示を行わず、前記表示を行わない信号レイヤに該当しないことを検知した場合に、当該通信ログの表示を行う
ことを特徴とする請求項１ないし３のうちいずれか１項に記載のログ表示装置。
【請求項５】
前記表示設定情報は、無線通信状態毎に、表示する通信ログの表示色を示す情報を更に含み、前記表示手段は、当該表示色で通信ログの表示を行う
ことを特徴とする請求項４に記載のログ表示装置。
【請求項６】
コンピュータを、移動通信における端末側の通信装置とネットワークとの間で送受信される信号の通信ログを解析し、表示するログ表示装置として機能させるためのプログラムであって、コンピュータを、
前記コンピュータに備えられたログ格納手段から通信ログを読み出し、当該通信ログの内容に基づいて、当該通信ログに対応する前記通信装置の無線通信状態を判定する状態判定手段、
通信ログと、前記状態判定手段により判定された無線通信状態とを対応付けて、前記コンピュータに備えられた無線通信状態付ログ格納手段に格納する格納処理手段、
前記無線通信状態付ログ格納手段から通信ログと無線通信状態とを読み出し、無線通信状態毎に予め定められた表示設定情報に従って、通信ログの表示を行う表示手段、
として機能させるためのプログラム。
【発明の詳細な説明】
【技術分野】
【０００１】
本発明は、移動通信における通信ログの解析処理に係るものであり、特に、収集した通信ログから移動端末の無線通信状態を判定し、判定された無線通信状態に応じた通信ログ表示を行うことで、通信ログ解析の効率を向上させるための技術に関するものである。
【背景技術】
【０００２】
図１に、移動端末（ＵＥ）と移動通信ネットワーク間の通信に関する試験環境の一例を示す。図１に示すように、この試験環境では、移動端末（ＵＥ）１が、ログ収集装置２に接続される。移動端末１は、通信事業者のネットワーク３との間で、通信信号を無線で送受信する。送受信する信号は、通信ログとして移動端末１からログ収集装置２に送られ、ログ収集装置２に格納される。そして、ログ収集装置２により収集された通信ログは、ログ表示装置４で表示される。解析者は、ログ表示装置４に表示された通信ログを見て、通信の正常性判定等の解析・評価を行う。
【０００３】
ただし、実際に無線区間で送受信される信号の中身は原文ではなく、所定の規則に基づいてエンコードされたデータであり、一般に、ログ収集装置２で収集、格納される通信ログは、エンコードされた状態のものである。例えば、無線区間で送受信される信号の中に、通信種別として「ＴＶ電話」を示すデータを含める場合に、「ＴＶ電話」という文字ではなく、これに対応付けられたコード（例えば、"０１"等）を含める。
【０００４】
ログ表示装置４は、このようなコードとその意味を示す情報とを対応付けた通信プロトコルデータベースを備えており、通信ログを表示する際には、通信プロトコルデータベースを参照して、エンコードされたログを、解析者が解釈可能な情報にデコードして表示する。
【０００５】
なお、図１では、移動端末１側から収集された通信信号を通信ログとして収集、解析する例を示しているが、ネットワーク３側で通信信号を収集、解析する場合も基本的に同様の構成をとる。すなわち、この場合、例えばネットワーク３側の通信装置にログ収集装置２が接続され、ネットワーク３側の通信装置から通信ログを収集し、表示・解析を行う。
【先行技術文献】
【特許文献】
【０００６】
【特許文献１】特開２００６−０３３００７号公報
【発明の概要】
【発明が解決しようとする課題】
【０００７】
一般に、移動端末は、様々な無線通信状態を遷移しながら無線通信を行っている。このような無線通信状態としては、例えば、待受状態、通信中状態等があり、更に、通信中状態の中でも、使用する無線チャネル等により様々な状態がある。
【０００８】
より具体的には、例えば、UMTS(Universal Mobile Telecommunications System)に準拠した移動端末では、無線通信状態としてRRC Idle、RRC Connected等がある。また、RRC Connectedの中には、URA_PCH、CELL_PCH、CELL_FACH、CELL_DCH等の無線通信状態があり、更に、CELL_DCHの中にもR99、HSDPA、HSUPA、HSPA+等の無線通信状態がある。
【０００９】
また、例えば、LTE（Long Term Evolution）に準拠した移動端末では、RRC Idle、RRC Connected、RRC Connected (Short DRX)、RRC Connected (Long DRX)等の無線通信状態がある。なお、UMTSとLTEの両方に準拠した機能を備える移動端末について、UMTSのIdle状態とLTEのIdle状態は別の状態と考えることができる。
【００１０】
移動端末の評価を行うために通信ログを解析する際、その評価の目的によって、全ての無線通信状態を同様に詳細に解析するのでなく、特定の無線通信状態に注力して詳細に解析を行い、それ以外の無線通信状態については概要を把握できればよいという場合が多い。例えば、CELL_DCHについては全てのレイヤの通信ログを見て、その内容を調べる一方、それ以外は、例えば上位レイヤの通信ログのみを見て、概要を把握すれば十分であるといった場合がある。
【００１１】
しかし、従来のログ表示装置では、例えば、特定の通信ログに色を付けて表示したり、レイヤでのフィルタリングを行うことができるだけで、無線通信状態に応じた通信ログの表示を行うことができない。そのため、例えば、通信ログを解析する際に、概要を把握できれば十分である無線通信状態の通信ログが、注力して解析すべき無線通信状態の通信ログと同様に詳細に表示されてしまい、注力して解析すべき無線通信状態の通信ログを効率良く解析できないという問題がある。
【００１２】
本発明は、上記の点に鑑みてなされたものであり、様々な無線通信状態への遷移を行う通信装置の通信ログの解析を効率的に行うための技術を提供することを目的とする。
【課題を解決するための手段】
【００１３】
上記の課題を解決するために、本発明の一実施形態によるログ表示装置は、移動通信における端末側の通信装置とネットワークとの間で送受信される信号の通信ログを解析し、表示するログ表示装置であって、前記通信ログを格納するログ格納手段と、前記ログ格納手段から通信ログを読み出し、当該通信ログの内容に基づいて、当該通信ログに対応する前記通信装置の無線通信状態を判定する状態判定手段と、通信ログと、前記状態判定手段により判定された無線通信状態とを対応付けて無線通信状態付ログ格納手段に格納する格納処理手段と、前記無線通信状態付ログ格納手段から通信ログと無線通信状態とを読み出し、無線通信状態毎に予め定められた表示設定情報に従って、通信ログの表示を行う表示手段とを備えたことを特徴とするログ表示装置として構成される。
【００１４】
前記状態判定手段は、前記通信ログの内容が、予め定められた状態判定ルールに合致するか否かにより、無線通信状態を判定するように構成してもよい。また、例えば、前記状態判定手段は、ある通信ログにおいて、前記状態判定ルールに規定された特定のメッセージの中の特定の情報要素における特定の値を検出した場合に、当該通信ログ以降に取得された各通信ログを、前記特定の値に対応する無線通信状態であると判定することとしてもよい。
【００１５】
前記表示設定情報は、無線通信状態毎に、表示を行わない信号レイヤを示す情報を含むように構成してよく、前記表示手段は、前記無線通信状態付ログ格納手段から読み出した通信ログが、前記表示を行わない信号レイヤに該当することを検知した場合に、当該通信ログの表示を行わず、前記表示を行わない信号レイヤに該当しないことを検知した場合に、当該通信ログの表示を行うように構成することができる。
【００１６】
また、前記表示設定情報は、無線通信状態毎に、表示する通信ログの表示色を示す情報を更に含んでもよく、前記表示手段は、当該表示色で通信ログの表示を行うようにしてもよい。
【００１７】
また、本発明の一実施形態によれば、コンピュータを、上記ログ表示装置の各手段として機能させるためのプログラムを提供することもできる。
【発明の効果】
【００１８】
本発明によれば、無線通信状態とともに通信ログが格納されるので、無線通信状態毎に予め定められた表示設定情報に従って、無線通信状態に対応した所望の形式で通信ログを表示（又はフィルタ）できる。
【００１９】
例えば、不要な通信ログを適切にフィルタできるので、視認性が向上し、注力して解析すべき無線通信状態以外の無線通信状態に係る通信ログの概要把握を容易に行うことが可能となり、注力して解析すべき無線通信状態に係る通信ログの解析に集中でき、結果として、通信ログ解析の効率を向上させることができる。
【図面の簡単な説明】
【００２０】
【図１】ＵＥ−ＮＷ間の通信に関する試験環境の一例を示す図である。
【図２】本発明の実施の形態におけるログ解析システムの構成例を示す図である。
【図３】ログ表示装置２０の動作を説明するためのフローチャートである。
【図４】通信ログの一例を示す図である。
【図５】状態判定ルールの一例を示す図である。
【図６】ブロック化ログ格納部２８に格納される通信ログの一例を示す図である。
【図７】表示設定情報の一例を示す図である。
【図８】通信ログの表示例を示す図である。
【発明を実施するための形態】
【００２１】
以下、図面を参照して本発明の実施の形態を説明する。
【００２２】
(システム構成）
図２に、本発明の実施の形態におけるログ解析システムの構成例を示す。図２に示すように、本実施の形態におけるログ解析システムは、ログ収集装置１０と、ログ表示装置２０とを有する。
【００２３】
ログ収集装置１０は、移動通信ネットワークとの間で通信を行っている端末側の通信装置、もしくは、端末側の通信装置と通信を行っている移動通信ネットワーク側の通信装置から通信信号を受信し、通信ログとして格納する装置である。本実施の形態では、移動通信ネットワークとの間で通信を行う端末側の通信装置として移動端末（携帯電話機）を想定しているが、端末側の通信装置としてはこれに限られるわけではない。
【００２４】
図２に示すように、ログ収集装置１０は、信号受信部１１、ログ格納部１２、出力部１３を有する。
【００２５】
信号受信部１１は、上記通信装置から通信信号を受信し、通信ログとしてログ格納部１２に格納する機能部である。出力部１３は、ログ格納部１２に格納された通信ログを読み出して、出力する機能部である。後述するように、出力された通信ログは、通信ネットワーク経由で自動的に、もしくは、可搬メモリ等の記録媒体を介して人手により、ログ表示装置２０に取り込まれる。
【００２６】
ログ表示装置２０は、本発明に係る装置であり、ログ収集装置１０により収集された通信ログを取り込み、デコードし、デコードした通信ログを無線通信状態に応じてブロック化し、表示設定に従って表示する装置である。図２に示すように、ログ表示装置２０は、ログ格納部２１、ログ読み込み部２２、デコード部２３、通信プロトコルデータベース２４、無線通信状態判定部２５、ログブロック化処理部２６、表示部２７、ブロック化ログ格納部２８、及び設定情報格納部２９を有する。
【００２７】
ログ格納部２１は、ログ収集装置１０から取得した通信ログを格納する機能部である。例えば、ログ収集装置１０とログ表示装置２０とを通信ネットワークを介して接続し、ログ表示装置２０は、ログ収集装置１０の出力部１３から出力された通信ログを当該通信ネットワークを介して受信して、ログ格納部２１に格納する。また、ログ収集装置１０から可搬メモリ等に通信ログを記憶させ、当該可搬メモリから通信ログをログ表示装置２０に移し、ログ格納部２１に格納するようにしてもよい。
【００２８】
ログ読み込み部２２は、ログ格納部２１から各通信ログを読み込み、デコード部２３に渡す機能部である。デコード部２３は、通信プロトコルデータベース２４を参照して、エンコードされている通信ログをデコードし、デコードした通信ログを無線通信状態判定部２５に渡す機能部である。
【００２９】
無線通信状態判定部２５は、設定情報格納部２９に格納された状態判定ルールに基づいて、各通信ログに対応する無線通信状態を判定し、通信ログと判定結果（無線通信状態）をログブロック化処理部２６に渡す機能部である。ログブロック化処理部２６は、通信ログと、それに対応する無線通信状態とを対応付けてブロック化ログ格納部２８（無線通信状態付ログ格納部と称してもよい）に格納する機能部である。
【００３０】
表示部２７は、設定情報格納部２９に格納された表示設定情報に基づいて、ブロック化ログ格納部２８に格納された通信ログを表示する機能部である。ここでの表示部２７は、通信ログの読み出しや表示設定情報の解釈を行う表示制御機能と、実際に表示を行うディスプレイの機能の両方を含むものとする。
【００３１】
通信プロトコルデータベース２４は、通信装置（ＵＥ）−ネットワーク間での信号のエンコード/デコードルールを保持するデータベースである。設定情報格納部２９は、前述したように、状態判定ルールと表示設定情報を格納する。これらの詳細については、後の動作説明のところで説明する。なお、状態判定ルールと表示設定情報とをユーザが設定し、設定情報格納部２９に格納するためのユーザインターフェースをログ表示装置２０に備えてもよいし、別に準備した状態判定ルールと表示設定情報を設定情報格納部２９に格納することとしてもよい。
【００３２】
図２に示したログ収集装置１０とログ表示装置２０のそれぞれは、コンピュータに、本実施の形態で説明する処理内容を記述したプログラムを実行させることにより実現可能である。すなわち、ログ収集装置１０とログ表示装置２０のそれぞれにおいて、各部が有する機能は、当該装置を構成するコンピュータに内蔵されるＣＰＵやメモリなどのハードウェア資源を用いて、各部で実施される処理に対応するプログラムを実行することによって実現することが可能である。また、当該プログラムは、当該プログラムを記録したＦＤ、ＣＤ−ＲＯＭ、ＤＶＤなどの記録媒体や、インターネットなどのネットワークを介して市場に流通させることができる。また、ログ収集装置１０とログ表示装置２０とを一体化し、１つの装置（コンピュータ）で実現することとしてもよい。
【００３３】
（ログ表示装置２０の動作）
以下、本実施の形態におけるログ表示装置２０の動作例について、図３のフローチャートに沿って詳細に説明する。
【００３４】
以下の処理の前提として、ログ格納部２１には、ログ収集装置１０により取得された通信ログが格納されているものとする。ここでの通信ログは、信号取得の時間順に、取得した信号が通信ログとして並んだ情報である。通信ログの一部の例を図４に示す。図４において、Layer（レイヤ）３の信号は、無線リソース管理、移動管理、呼制御等のための信号であり、より具体的には、例えば、呼び出し、無線コネクション設定・維持・解放等のための信号や、QoS制御、アウターループ電力制御、等のための信号である。
【００３５】
レイヤ２の信号は、無線リンク制御、メディアアクセス制御のための信号であり、具体的には、例えば、優先制御、フロー制御、データ量監視や、分割、再送、組立、重複確認、等のための信号である。レイヤ１の信号は、物理層の信号であり、例えば、拡散変調/復調、送信電力制御や、誤り訂正及び検出のための信号である。
【００３６】
また、図４において、例えば、"Layer 3信号  -> rrcConnectionSetup  -> rrcState-Indicatior=cell-DCH"と標記されている部分は、レイヤ３信号である rrcConnectionSetupメッセージの中のrrcState-Indicatiorがcell-DCHであることを示している。他も同様である。なお、ログ収集装置１０から通信ログを取り込んだときの通信ログは、エンコードされているが、図４では、便宜上、信号の内容を示している。
【００３７】
まず、図３のステップ１１において、ログ読み込み部２２は、ログ格納部２１から１つの通信ログを読み込み、デコード部２３に渡す。本例では、ログ読み込み部２２は、ログ格納部２１から、ログが格納された順番（ログ取得の時間順）で１つづつ通信ログを読み込む。例えば、処理の開始時であれば先頭の通信ログを読み込み、n-1番目の通信ログの処理の次の処理であれば、n番目の通信ログを読み込むことになる。
【００３８】
ステップ１２において、デコード部２３は、通信プロトコルデータベース２４を参照することにより、上記通信ログをデコードし、デコードした通信ログを無線通信状態判定部２５に渡す。
【００３９】
ステップ１３では、無線通信状態判定部２５が、設定情報格納部２９から状態判定ルールを読み出し、当該状態判定ルールに従って、処理対象となっている通信ログに対応する無線通信状態を判定し、判定結果（無線通信状態）と通信ログとをログブロック化処理部２６に渡す。
【００４０】
図５に、状態判定ルールの一部の例を示す。図５に示すルールを用いる場合、図３のステップ１３では、無線通信状態判定部２５は、１つの通信ログとしてのrrcConnectionSetup (Layer 3信号の1つ)の中のrrc-StateIndicatorというIEの値がcell-DCHの場合に、当該通信ログ以降（時間的に後）であり、かつ、他の無線通信状態になるまでの通信ログをCELL_DCHと判定し、TransportChannelReconfiguration (Layer 3信号の1つ)の中のrrc-StateIndicatiorがcell-FACHの場合、当該通信ログ以降（時間的に後）であり、かつ、他の無線通信状態になるまでの通信ログをCELL_FACHと判定し、rrcConnectionRelease (Layer 3信号の1つ)を検出した場合には、当該通信ログ以降（時間的に後）であり、かつ、他の無線通信状態になるまでの通信ログをRRC Idleと判定する。
【００４１】
より具体的には、例えば、処理対象の通信ログが" rrcConnectionSetup  -> rrcState-Indicatior=cell-DCH"である場合、無線通信状態判定部２５は、当該通信ログが状態判定ルールにマッチすることを検知し、状態が"cell-DCH"であることをメモリ等の記憶手段に保持しておく。そして、以降に処理対象となる各通信ログの無線通信状態を、次の無線通信状態になるまで、"cell-DCH"であると判定する。
【００４２】
なお、上記のようにしてメッセージ名や情報要素を参照することにより無線通信状態の判定を行う方法は一例に過ぎない。無線通信状態の判定は、上記以外の種々の方法を使用して行うことが可能である。
【００４３】
図３のステップ１４では、ログブロック化処理部２６が、無線通信状態判定部２５での判定を経た通信ログと、これに対応する無線通信状態を示す識別情報とを対応付けてブロック化ログ格納部２８に格納する。
【００４４】
そして、ステップ１１〜ステップ１４の処理が各通信ログに対して行われ、ステップ１５において、通信ログ読み込み部２２が、処理対象の通信ログが終了したことを検知すると、ログブロック化の処理を終了する。
【００４５】
この時点で、ブロック化ログ格納部２８に格納される通信ログの例を図６に示す。この例は、図４の通信ログを、図５の状態判定ルールに従ってブロック化した例である。図６に示す例では、便宜上、無線通信状態毎に、通信ログを区分したように図示しているが、実際に記憶装置に記憶されるデータ構造としては、各通信ログ（レイヤ１信号、レイヤ２信号、レイヤ３信号のそれぞれ）に無線通信状態を対応付けたものでよく、これによりブロック化が行われたことになる。
【００４６】
続いて、通信ログの表示処理が行われる。図３のステップ１６において、表示部２７が設定情報格納部２９から表示設定情報を読み込む。表示設定情報の一部の例を図７に示す。図７の例では、無線通信状態が<RRC Idle>である通信ログに関して、レイヤ１信号及びレイヤ２信号はフィルタリング（表示を行わないこと）し、それ以外のレイヤの信号は文字色を黒として表示することを示している。また、無線通信状態が<CELL_FACH>である通信ログに関しては、レイヤ１信号をフィルタリングし、それ以外の信号は文字色を青で表示し、無線通信状態が<CELL_DCH>である通信ログに関しては、全ての信号を、文字色を赤として表示することを示している。
【００４７】
つまり、図７に示す表示設定情報は、無線通信状態が<CELL_DCH>である通信ログを重点的に解析したい場合の設定内容となっている。
【００４８】
そして、図３のステップ１７において、表示部２７は、ブロック化ログ格納部２８から通信ログと、それに対応する無線通信状態とを読み出し、表示設定情報に従って表示を行う。例えば、表示部１７は、ブロック化ログ格納部２８から通信ログと、それに対応する無線通信状態とを時系列の順に１つづつ読み出し、読み出した通信ログのそれぞれにおいて、当該通信ログがフィルタ条件にマッチするレイヤであればそれを表示せず、フィルタ条件にマッチしないレイヤであれば、当該通信ログを指定された色で表示する。また、対応する無線通信状態を表す情報も表示するが、その場合の色は、通信ログの色と同じでもよいし、一律に黒としてもよいし、無線通信状態表示のための表示設定情報を含め、それに従った表示としてもよい。更に、無線通信状態毎に、背景の色を変えて表示してもよい。
【００４９】
ステップ１７で表示される通信ログの例を図８に示す。図８に示す例は、図６に示すブロック化ログを、図７に示す表示設定に従って表示した例である。図８において、無線通信状態がCELL_DCHである各信号は赤色で表示し、無線通信状態がCELL_FACHである各信号は青色で表示しているものとする。
【００５０】
その後、必要であれば、前述した設定用のユーザインターフェースを用いて、表示設定情報を変更・格納し（ステップ１８）、別の表示（例えば、CELL_FACHの通信ログを全部表示）を行うこととしてもよい。
【００５１】
上述した処理手順は一例に過ぎない。本実施の形態で説明した表示を行うことができるのであれば、処理の順番を上記とは異なるものとしてもよい。例えば、デコードした通信ログを一旦ブロック化ログ格納部２８に格納し、その後に、各通信ログについての無線通信状態判定を行い、判定された無線通信状態を、ブロック化ログ格納部２８に格納された通信ログに付加することとしてもよい。
【００５２】
また、例えば、通信ログ毎に、無線通信状態の判定が終了した時点で、表示設定情報に従って表示を行うこととしてもよい。
【００５３】
（実施の形態の効果）
これまでに説明したように、本実施の形態に係る技術によれば、例えば、特定の無線通信状態に係る信号の通信ログを全て表示し、それ以外の通信ログは主要な信号（例：レイヤ３）のみを表示させるとともに、特定の無線通信状態に係る信号の通信ログについては強調した色で表示を行い、それ以外の通信ログは色を控えめにするといった表示設定、及び表示を行うことが可能となる。
【００５４】
これにより、不要な情報が適切にフィルタされるので、視認性が向上し、注力して解析すべき無線通信状態以外の無線通信状態に係る通信ログの概要把握を容易に行うことが可能となり、注力して解析すべき無線通信状態に係る通信ログの解析に集中できる。結果として、通信ログ解析の効率を向上させることができる。
【００５５】
本発明は、上記の実施の形態に限定されることなく、特許請求の範囲内において、種々変更・応用が可能である。
【符号の説明】
【００５６】
１  移動端末
２  ログ収集装置
３  ネットワーク
４  ログ表示装置
１０  ログ収集装置
１１  信号受信部
１２  ログ格納部
１３  出力部
２０  ログ表示装置
２１  ログ格納部
２２  ログ読み込み部
２３  デコード部
２４  通信プロトコルデータベース
２５  無線通信状態判定部
２６  ログブロック化処理部
２７  表示部
２８  ブロック化ログ格納部
２９  設定情報格納部
【図１】
2012151525.tif 000003
【図２】
2012151525.tif 000004
【図３】
2012151525.tif 000005
【図４】
2012151525.tif 000006
【図５】
2012151525.tif 000007
【図６】
2012151525.tif 000008
【図７】
2012151525.tif 000009
【図８】
2012151525.tif 000010